Podtech/llm-jp-corpus-v4-ja_patent huggingface dataset:
(57)【要約】      （修正有）【課題】工事現場等で用いられる、危険防止のための安全標識コーンにおいて、強風等で倒れたり、盗難を防止する安全標識コーンの拘束具を提供する。【解決手段】安全標識コーン１の円錐下部拘束輪っか２と、同輪っかに連結した敷き板３とからなる安全標識コーンの拘束具で、更に、円錐下部拘束輪っかと、敷き板の間にスライド式連結具４を介することも可能な構造としたことを特徴とする。【選択図】図１
0003186341.tif 000002
【実用新案登録請求の範囲】
【請求項１】
安全標識コーンの円錐下部拘束輪っかと、同輪っかに連結した敷き板とからなることを特徴とする安全標識コーンの拘束具。
【請求項２】
上記円錐下部拘束輪っかと、上記敷き板の間にスライド式連結具を介したことを特徴とする請求項１に記載の安全標識コーンの拘束具。
【考案の詳細な説明】
【技術分野】
【０００１】本考案は、安全標識コーンの転倒や盗難の防止に関する考案である。
【背景技術】
【０００２】工事現場等で作業するクレーン車等の車両近傍には、危険防止のために安全標識コーンが用いられている。
【先行技術文献】
【特許文献】
【０００３】
【特許文献１】特開２０１０−２８５７５９号公開公報
【特許文献２】実開昭７−４５２５号公開公報
【０００４】
【考案の概要】
【考案が解決しようとする課題】
【０００５】工事現場等で作業するクレーン車等の車両近傍には、危険防止のために安全標識コーンが用いられているが、強風等で安全標識コーンが倒れたりした場合には、その都度、工事を中断したり、交通整理などが必要となる不具合があった。
【課題を解決するための手段】
【０００６】本考案は、安全標識コーンの円錐下部拘束輪っかと、同輪っかに連結した敷き板とからなる安全標識コーンの拘束具で、更に、円錐下部拘束輪っかと、敷き板の間にスライド式連結具を介することもできる安全標識コーンの拘束具である。
【考案の効果】
【０００７】上述した本考案により、安全標識コーンの転倒や盗難が防止できた。
更に、円錐下部拘束輪っかと、敷き板の間にスライド式連結具を介することで、安全領域（通路の幅等）を必要に応じて、自由に調整できる安全標識コーンの拘束具である。
【図面の簡単な説明】
【０００８】
【図１】本考案に係る安全標識コーンの拘束具を示す斜視図である。
【考案を実施するための形態】
【０００９】本考案に係る具体例を図１を参照して以下説明する。
【実施例】本考案に係る一実施例では、図１に図示する如く、安全標識コーン１の円錐下部を輪っか２で拘束し、その拘束輪っか２をスライド式連結具４を介して、輪っか連結敷き板３に装着し、図示省略のクレーン車の場合、輪っか連結敷き板３をアウトリガーやタイヤで押えることにより、安全標識コーン１の転倒や盗難が防止できた。更に、円錐下部拘束輪っかと、敷き板の間にスライド式連結具を介することで、安全領域（通路の幅等）を必要に応じて、自由に調整できた。【００１０】
【産業上の利用可能性】
【００１１】本考案は、工事現場等で作業するクレーン車等の車両近傍のみならず、危険防止のために、住宅などの外壁塗装や建ち家工事等、昼のみならず、夜間など人の通行時の危険防止に適用できる。
【符号の説明】
【００１２】１・・・・安全標識コーン
２・・・・安全標識コーンの円錐下部拘束輪っか
３・・・・輪っか連結敷き板
４・・・・輪っかと敷き板の（スライド式）連結具
４ａ・・・・輪っかと敷き板の（スライド式）連結具ストッパ＾−
【図１】
0003186341.tif 000003
(57)【要約】      （修正有）【課題】軽量な車体を使うことにより、積載量を増加させるとともに、重心を下げることで運転時における車両の安定化を図り、横転する危険性を低減化し得るダンプトラックを提供する。【解決手段】荷台３０の積載容量を所定の量に設定するとともに、少なくとも荷台３０の前面、側面および床面を構成する前面板３１、側面板３２および床板３３を約８〜１０ｍｍの厚さに形成することで、車両の重量を調整する。【選択図】図１
0003186397.tif 000002
【実用新案登録請求の範囲】
【請求項１】
土砂などを荷台に積んで運搬するダンプトラックであって、前記荷台の積載容量を所定の容量に設定するとともに、少なくとも前記荷台の前面、側面および床面を構成する前面板、側面板および床板を約８〜１０ｍｍの厚さに形成することで、車両の重量を調整することを特徴とするダンプトラック。
【請求項２】
前記荷台の高さを低く設定することを特徴とする請求項１に記載のダンプトラック。
【考案の詳細な説明】
【技術分野】
【０００１】
本考案は、大型車両に関し、特に、土砂などを運搬するダンプトラックに関する。
【背景技術】
【０００２】
近年のディーゼル車の排ガス規制により付属品などの装置が多く取り付けられることでトラックの車両重量（約１１．２トン）が増加し、車両総重量２０トン以下という大型トラックの規制内での最大積載量が減少の傾向にある。
【考案の概要】
【考案が解決しようとする課題】
【０００３】
積載量を増大させるために、車両重量を抑えるように工夫された車両が提案されているが、単に積載量を大きくすればよいものではない。例えば、土砂などを運搬するダンプトラックにおいては、荷台の積載容量を大きくすることで、特に、公共指定処分場での規制により車両の受け入れが拒否され、土砂などの運搬が許可されない（横浜市、川崎市、ほか）。
【０００４】
また、ダンプトラックは、構造的に車両を構成する重心の高さが高く設定されているので、運転時、特にカーブ時やブレーキ時に、積み荷の状態にもよるが、遠心力でスリップし、さらには横転するなどの危険性を有している。
【０００５】
本考案の目的は、上記問題点に鑑み、軽量な車体を使うことにより、積載量を増加させるとともに、重心を下げることで運転時における車両の安定化を図り、横転する危険性を低減化し得るダンプトラックを提供することにある。
【課題を解決するための手段】
【０００６】
上記目的を達成するために、本考案に係るダンプトラックは、荷台の積載容量を所定の量に設定するとともに、少なくとも荷台の前面、側面および床面を構成する前面板、側面板および床板を約８〜１０ｍｍの厚さに形成することで、車両の重量を調整することを特徴とする。
【０００７】
また、ダンプトラックの荷台の高さを低く設定することが好ましい。
【考案の効果】
【０００８】
本考案に係る土砂などの運搬をするダンプトラックは、上記構成を備えることで、車両重量を抑え、積載量を増大または維持させることが可能となる。また、車両全体としての重心を下げることで、安定した運転を可能とする。さらに、荷台の床面の厚さが増大することで、ダンプトラックとしての耐久力を増大させる。
【図面の簡単な説明】
【０００９】
【図１】本考案に係るダンプトラックの概略側面図である。
【考案を実施するための形態】
【００１０】
以下、図１を用いて本考案にかかるダンプトラックの実施例について詳細に説明する。
【００１１】
図１に示されるように、本実施例に係るダンプトラック１００は、概略、運転台１０、これに接続されるシャーシ２０、シャーシの２０の後端部に傾動自在に装着されているベッセル（「荷台」とも言う。）３０および運転台１０の下方に配置される前輪４１、ベッセル３０の下方に配置される中輪４２および後輪４３を備えている。
【００１２】
本実施例に係るダンプトラック１００は、エンジンのような車両駆動機構を含む運転台１０およびシャーシ２０の部分を、軽量な車体（本実施例では、約８．５トン）として構成するとともに、ベッセル３０の大きさを、従来と同様に公共指定処分場での規制に適合する所定の積載容量（５．８ｍ３）となるように設定し、形成する。本実施例では、このとき、少なくとも、ベッセル３０の前面、側面および床面をそれぞれ構成する前面板３１、側面板３２および床板３３の板厚を、例えば、従来の厚さの約１．５倍の厚さ（本実施例では、約８〜１０ｍｍ）として、ベッセル３０を形成する。あるいは、従来のベッセルの前面板、側面板および床板をこの厚さにまで厚く補強するようにしても良い。そのようにすることにより、ベッセル３０、ひいては、車両部分の重量が重くなり、車両重量が約１０トンになるように調整される。
【００１３】
したがって、本実施例に係るダンプトラック１００は、従来の積載容量（５．８ｍ３）を有するとともに、車両重量が１０トンであるので、車両総重量が２０トンである大型ダンプ車両としては、積載量が１０トンまで増加させることが可能となる。
【００１４】
本実施例にかかるダンプトラック１００は、また、上述したように、前面板３１、側面板３２および床板３３を厚くし、ベッセル３０の重量を大きくしたことで、ベッセル３０の高さ位置は変わらないが、車両の重心の位置が低く設定される。なお、ベッセル３０の高さも従来の高さ（約１５８ｃｍ）より低く設定する（例えば、本実施例では、１４５ｃｍ）ことが好ましい。加えて、本実施例においては、前輪４１、中輪４２および後輪４３に扁平タイヤ（本実施例では、１２５５／７０Ｒ２２．５）を採用することで、運転時における安定性が増し、車両が横転する危険性を低く抑えることが可能となる。
【００１５】
本実施例に係るダンプトラック１００は、また、上述したように、荷台（ベッセル）３０の前面板３１、側面板３２および床板３３を厚くしたことで、従来のベッセルの耐久期間が５年程度であったものが、約３割以上延ばすことが可能となる。
【符号の説明】
【００１６】
１０              運転台
２０              シャーシ
３０              荷台（ベッセル）
３１              前面板
３２              側面板
３３              床板
４１              前輪
４２              中輪
４３              後輪
１００            ダンプトラック  
【図１】
0003186397.tif 000003
(57)【要約】      （修正有）【課題】人が洋式トイレにて行う排便行為をより容易にし身体への負担を減らし健康な身体を維持できる様にする手のひら受け部を設けた洋式トイレの便座、便器を提供する。【解決手段】便座に、手のひらを受ける平面部と手のひらがすべるのを止める丸型の突起部２とからなる手のひら受け部１を設ける。手のひら受け部１の裏面に便器との着地座３を設けた。この手のひら受け部に排便する人が自身の臀部を便座からわずか浮かせる様に自身の上半身の体重を支える様、力をかける。この状態で排便を促す下腹への力み行為を行うと、効果的な排便が可能となる。【選択図】図３
0003186306.tif 000002
【実用新案登録請求の範囲】
【請求項１】
洋式水洗トイレの便座に手のひら受け部（１）を設ける。
手のひら受け部の構造は手のひらを受ける平面部（１）と手のひらがすべるのを止める丸型の突起部（２）を設け、裏面には便器との着地座（３）を取付ける。［図３、図４参照］
すべり止め突起（２）と着地座（３）は必要性に応じ省略する事もできる。
手のひら受け部の形状に制約は無いが、シンプルな形状が望ましい。
【請求項２】
洋式水洗トイレの便器本体に手のひら受け部（１）を設ける。［図５参照］
この場合は便座に手のひら受け部を設ける必要がなくなる。
手のひら受け部の形状に制約は無いが、シンプルな形状が望ましい。
便器本体に手のひら受け部を設置する場合は衛生面での対策を考える必要がある。  開閉式のカバー等を考慮する。
【請求項３】
便器本体には便座の手のひら受け部に設けられた着地座（３）を受ける平面部を確保する。便器の形によって十分な平面部が確保できない場合には便器形状の変更や改造が必要となる。
【考案の詳細な説明】
【技術分野】
【０１】洋式便座、便器の設計、製造技術
【背景技術】
【０２】生理学上からも理にかなった排便技術
【考案が解決しようとする課題】
【０３】人が洋式トイレにて行う排便行為をより容易にし身体への負担を減らし健康な身体を維持できる様にする。
【課題を解決するための手段】
【０４】排便を行う洋式便座あるいは便器に手のひら受け部（１）を設ける。
この手のひら受け部に排便する人が自身の臀部を便座からわずか浮かせる様に自身の上半身の体重を支える様、力をかける。
この状態で排便を促す下腹への力み行為を行うと、効果的な排便が可能となる。［図３、図４、図５、図６参照］
【考案の効果】
【０５】洋式便座や便器の手のひら受け部（１）に手のひらを置き、自分の臀部を便座から浮かす様に力を入れると、臀部が便座に乗っていた状態から、便座から微かに浮いた（離れた）状態となり、排便を促す下腹への力み行為が容易に行える様になる。従来の排便行為では臀部が便座に乗った状態であり、上半身の体重が臀部にかかっている為、排便の為の下腹の力み行為が阻害されていた。本考案により排便が容易となり、排便時間が短縮し、排便量が増加する等の効果が現れる。不要な残留便が減り、老廃棄物の排出が進む事により、気分も爽快で腹具合も良くなり、身体の若さや健康を維持できる様になる。［図３、図４、図５、図６参照］
【図面の簡単な説明】
【０６】
【図１】「標準的な洋式水洗トイレを示した斜視図である。」
【図２】「標準的な洋式水洗トイレの便座を示した平面図である。」
【図３】「本考案の手のひら受け部（１）を設けた洋式水洗トイレの便座を示した平面図である。」
【図４】「本考案の便座に手のひら受け部（１）を設けた洋式水洗トイレを示した斜視図である。」
【図５】「本考案の手のひら受け部（１）を便器本体に設けた洋式水洗トイレを示した斜視図である。」
【図６】「本考案の便座に手のひら受け部（１）を設けた洋式水洗トイレで人が排便をする姿勢を示した斜視図である。」
【符号の説明】１は手のひら受け部
２は手のひらすべり止め突起
３は着地座
【考案を実施するための形態】
【０７】本考案は洋式水洗トイレの便座あるいは便器本体に手のひら受け部（１）を設けて排便行為をより容易にし健康な身体を維持しようとするものである。［図４、図５、図６参照］
【実施例】
【０８】本考案の考案者は平成２４年１１月より、本考案を試験実施している。
【産業上の利用可能性】
【０９】洋式トイレの便座や便器の設計、製造技術に新たな思考を取り入れる事になり、人の健康に貢献できる排便が可能となる。
【図１】
0003186306.tif 000003
【図２】
0003186306.tif 000004
【図３】
0003186306.tif 000005
【図４】
0003186306.tif 000006
【図５】
0003186306.tif 000007
【図６】
0003186306.tif 000008
【手続補正書】
【提出日】平成25年7月15日(2013.7.15)
【手続補正１】
【補正対象書類名】実用新案登録請求の範囲
【補正対象項目名】全文
【補正方法】変更
【補正の内容】
【実用新案登録請求の範囲】
【請求項１】
便座に、手のひらを受ける平面部と手のひらがすべるのを止める丸型の突起部とからなる手のひら受け部を設け、前記手のひら受け部の裏面に便器との着地座を設けたことを特徴とする洋式水洗トイレの便座。
【請求項２】
便器本体に、手のひらを受ける平面部と手のひらがすべるのを止める丸型の突起部とからなる手のひら受け部を設けたことを特徴とする洋式水洗トイレの便器。
【請求項３】
請求項１に記載の便座と、便器本体からなり、前記便器本体には前記着地座を受ける平面部を設けたことを特徴とする洋式水洗トイレの便器。
(57)【要約】      （修正有）【課題】体が不自由な方、肩関節等が硬い人でもタオルやスポンジ等では届きにくい背中の細部まで入念に、垢すりを容易にするアニマルハンドを提供する。【解決手段】片手で垢すりを簡単に行えるようハンドル形式にし、垢を落とす部位である表面は動物の掌の形状とし、裏面は動物の手足の甲の形状とする。表面には拇指球２および少指球３，４，５を備え、裏面には動物の顔が描かれている。また、拇指球と小指球とは互いに離れて据え付けられている。【選択図】図２
0003186303.tif 000002
【実用新案登録請求の範囲】
【請求項１】
図１、図２、図３で示すハンドル形の背中垢すり具の実際に垢落としに用いる部位は、動物の手足の形状にするものである。垢を落す部位の裏面は図３で示す動物の手足の甲の形状とし、実際に垢を落す表面は図２で示す動物の掌の形状にしている。図２で示す垢を落す部位の表面は動物の掌の拇指球、小指球の形状とするもので、図３で示す裏面側には動物の顔を描くものである。
【請求項２】
図１、図２の垢を落す部位の動物の掌の拇指球、小指球の形状は、図２で示すようにそれぞれが離れて個別に据え付けられたもので、図３の掌の甲に相当する裏面は第１指関節側、拳の形に相当する形状をしたものである。
【考案の詳細な説明】
【技術分野】
【０００１】  本考案は、背中の垢を落す垢すりに関するものである。
【背景技術】
【０００２】  自分で背中の垢すりを行う場合、通常タオルまたはスポンジ等が用いられているが、タオル、スポンジ等では背中の隅々まで垢を落すのは容易ではなく、背中の垢を十分に落せない人が多い。
【先行技術文献】
【特許文献】
【０００３】
【特許文献１】
【考案の概要】
【考案が解決しようとする課題】
【０００４】  解決しようとする課題は、背中の垢を落すのに用いるタオルやスポンジ等では背中の垢を十分に落すことが容易ではない点である。特に、肩関節等が硬く手を背中まで十分に回しにくい人や、又は体が不自由な方々の中にもタオルやスポンジ等では背中の垢を丹念に落すことは容易ではない課題がある。
【課題を解決するための手段】
【０００５】  本考案の背中垢すりアニマルハンドは、背中の垢すりに不便を感じている肩関節等の固い人、または体が不自由な人たちでも、図１で図示するように図１−１のハンド側を握り簡単に背中の垢すりを行うことができる形状を特徴としている。【０００６】  本考案のハンド形の垢すり具は、図１−２、図１−３、図１−４、図１−５、図２−１、図２−２、図２−３、図２−４、図２−５、図３−１、図３−２で図示するように垢すりに用いる部位の形状を動物の手形にしていることを最も主要な特徴としている。
【考案の効果】
【０００７】  本考案は片手を用いて背中の垢すりを容易に行うことができ、タオルやスポンジ等で落としにくい背中全体の垢を入念に落すことができる。【０００８】  図１、図２、図３に図示する実際に垢すりに用いる部位を動物の手形にすることで、子供だけでなく動物好きな人たちに喜んでもらえる垢すり具を提供する。【０００８】  図３で図示するように動物の手形形状の垢すりに用いる部位は、図１−１のハンド側から取り外すして、背中以外にも腕や足等の垢すりに用いることができる。
【図面の簡単な説明】
【０００９】
【図１】本考案の背中垢すりアニマルハンドの側面図である。
【図２】本考案の背中垢すりアニマルハンドの表側の説明図である。
【図３】垢すりを実施する部位の裏側の説明図である。
【考案を実施するための形態】
【００１０】  垢すり具を片手で持てるハンドル形にし、垢すりを用いる部位の裏面にはパンダ、犬、猫、猿等の動物の顔を描き、実際に垢を落す表面側はその動物の掌の形状にし、好みの動物の掌で背中の垢を落すという特徴を目的にする形態にしている。
【実施例】
【００１１】  図１は本考案の背中垢すりアニマルハンドを側面から見た全体図で、図２は垢すりに用いる表面側からみた全体図である。図３は実際に垢すりに用いる部位を裏面から見た図である。
【産業上の利用可能性】
【００１２】
【符号の説明】
【００１３】  ［図１］
１  垢すりハンドル（柄）部
２  拇指球形の垢すり面
３  小指球の垢すり面
４  拇指球形の垢すり部位の側面
５  小指球の垢すり部位の側面
［図２］
１  垢すり表面側の非接触面
２  拇指球形の垢すり面
３  小指型の垢すり面
４  小指型の垢すり面
５  小指型の垢すり面
６  壁掛け用穴
［図３］
１  垢すり部位の裏面
２  垢すり部位裏面の動物の顔デザイン
【図１】
0003186303.tif 000003
【図２】
0003186303.tif 000004
【図３】
0003186303.tif 000005
【手続補正書】
【提出日】平成25年7月8日(2013.7.8)
【手続補正１】
【補正対象書類名】実用新案登録請求の範囲
【補正対象項目名】全文
【補正方法】変更
【補正の内容】
【実用新案登録請求の範囲】
【請求項１】
ハンドル形の背中垢すりアニマルハンドであって、
垢を落とす部位である表面は動物の掌の形状とされ、
裏面は動物の手足の甲の形状とされており、
前記表面は拇指球および少指球を備え、
前記裏面は動物の顔が描かれていることを特徴とする背中垢すりアニマルハンド。
【請求項２】
前記拇指球と前期小指球とは互いに離れて据え付けられていることを特徴とする請求項１に記載の背中垢すりアニマルハンド。
(57)【要約】      （修正有）【課題】ネジ歯の深度・ネジ歯の間隙に沿って切削部を具備した複数のスティックが回転しシールテープを脱離させ剥すことが出来る装置を提供する。【解決手段】一方の半円筒形可動ケース本体３と他方の半円筒形可動ケース本体４に各々切削部６を具備し、伸縮自在なスティック７を複数配置形成し、被対称物のネジ歯の深度及び間隙の差異に対応し、シールテープ２４を脱離させ剥すことの出来るシールテープ剥し装置。【選択図】図４
0003186308.tif 000002
【実用新案登録請求の範囲】
【請求項１】
柄兼用の円筒型ケース本体と一方の半円筒型可動ケース本体と他方の半円筒型可動ケース本体の下端部に具備した係合アーム部で嵌設され、開閉自在にネジ歯の大小差異に対応し嵌設されるように形成されたことを特徴とするシールテープ剥し装置。
【請求項２】
前記記載の一方の半円筒型可動ケース本体と他方の半円筒型可動ケース本体には、各々切削部を具備した複数のスティック本体が、円の中心部に向かって所定角度で伸縮自在に形成されたことを特徴とするシールテープ剥し装置。
【考案の詳細な説明】
【技術分野】
【０００１】
本考案は、ネジ込み式継ぎ手に漏洩防止のため巻きつけたシールテープを剥す治具に関するものであり、切削部を具備した複数のスティックを配置形成したシールテープ剥し装置である。
【背景技術】
【０００２】
従来は、千枚通しのキリ先で剥した場合、カッターナイフの一部に剥し治具を具備したリムカッター等があった。（先行技術１参照）
【考案の概要】
【考案が解決しようとする課題】
【０００３】
しかしながら、前記従来の方法では熟練度の差が大きく効率が悪かったり、剥し治具がネジ歯の間隔に嵌合せず課題があった。
【課題を解決するための手段】
【０００４】
従来の課題を解決するために、本考案の剥し装置は、柄兼用の円筒型ケース本体１と半円筒型可動ケース本体３と半円筒型可動ケース本体４を具備した開閉自在な半円筒形可動ハウジング２が連設し、ネジ歯大小・間隙に対応し適正に嵌装するよう構成される。
【０００５】
半円筒形可動ケース本体３と半円筒形可動ケース本体４には切削部６を具備した伸縮自在なスティック本体７が左右対称に形成され、半円筒形可動ケース本体３と半円筒形可動ケース本体４を開口状態でネジ歯に嵌着させ、閉鎖することでネジ歯の深度にスティック本体７が対応し、尚かつ手で握る力の強弱で調整出来るよう構成される。
【考案の効果】
【０００６】
本考案の剥し装置により本装置を回転させることに依り、ネジ歯の深度・ネジ歯の間隙に沿って複数のスティックが回転し効率的にシールテープを脱離させ剥すことが出来る装置である。
【考案を実施するための形態】
【０００７】
図１及び図２で示すように、本考案のシールテープ剥し装置は、円筒形本体１と半円筒形ハウジング２が連設し形成された装置である。
【０００８】
図２及び図３で示すように、円筒形本体１の中心部２３は所定径の空洞部１２を形成し、下端部の所定位置に所定径のネジ孔２０を形成する。
【０００９】
図１及び図２に示すように半円筒形可動ハウジング２は一方の半円筒形可動ケース本体３と他方の半円筒形可動ケース本体４が対称的に形成される。
【００１０】
一方の半円筒形可動ケース本体３の末端部の所定位置に複数の係合アーム部１８を形成し、他方の半円筒形可動ケース本体４の末端部の所定位置に係合アーム部１９を形成する。
【００１１】
上記の複数の複数係合アーム部１８と係合アーム部１９の所定位置に所定径の孔１６を各々開口し、複数の係合アーム部１８の孔１６の一端からボルト１３を貫入し、係合アーム部１９の孔１６を貫入させ、尚かつ係合アーム部１８の孔１６を貫入し座金１７を介して円筒形本体１に設けたネジ孔２０に嵌入させ、円筒形本体１と半円筒形可動ケース本体３と半円筒形可動ケース本体４は連接し一体化を形成する。
【００１２】
図１及び図３に示すように、半円筒形可動ケース本体３の構成は、外縁周部２１の所定位置に空間部１１を形成する。又、内縁周部２２の半円筒形可動ケース本体３には円の中心部２３に向かって所定角度で複数の孔１６を開口する。
【００１３】
上記の半円筒形可動ケース本体３に複数の開口した孔１６には、先端が所定径・所定長の切削部６を形成し、末端に所定径のバネ受枠８を具備した所定径・所定長のスティック本体７を複数嵌入させる。
【００１４】
図１及び図３に示すように、半円筒形可動ケース本体３の外縁周部２１にケースカバー５が形成され、複数のスティック本体７の位置に合わせた所定径の凸形バネ嵌入部１０を複数形成する。
【００１５】
上記のスティック本体７に具備したバネ受枠８に所定径・所定長のコイルバネ９の一端を嵌着させ、他端を所定径・所定長の凸形バネ嵌入部１０に嵌設させる複数のスティック本体７は同じ形成過程を踏襲する。
【００１６】
ケースカバー５は、半円筒形可動ケース本体３の外縁部２１両端の縁部１４を形成し複数のビス１５により固定し、ケースカバー５は半円筒形可動ケース本体３と一体化を形成する。
【００１７】
半円筒形可動ケース本体４は上記半円筒形可動ケース本体３の形成過程を踏襲する。
【図面の簡単な説明】
【００１８】
【図１】本考案に係るシールテープ剥し装置の側面図である。
【図２】半円筒形可動ハウジングの正面断面図である。
【図３】半円筒形可動ハウジングの開口した状態の正面図及び断面図である。
【図４】シールテープ剥し装置が実施状態にある断面詳細図である。
【符号の説明】
【００１９】
１  円筒形ケース本体（柄）
２  半円筒形可動ハウジング
３  半円筒形可動ケース本体
４  半円筒形可動ケース本体
５  ケースカバー
６  切削部
７  スティック本体
８  バネ受枠
９  コイルバネ
１０  凸形バネ嵌入部
１１  空間部
１２  空洞部
１３  ボルト
１４  縁枠
１５  ビス
１６  孔
１７  座金
１８  係合アーム（複数）
１９  係合アーム
２０  ネジ孔
２１  外縁周部
２２  内縁週部
２３  中心部
２４  シールテープ
【図１】
0003186308.tif 000003
【図２】
0003186308.tif 000004
【図３】
0003186308.tif 000005
【図４】
0003186308.tif 000006
【手続補正書】
【提出日】平成25年8月1日(2013.8.1)
【手続補正１】
【補正対象書類名】実用新案登録請求の範囲
【補正対象項目名】請求項２
【補正方法】変更
【補正の内容】
【請求項２】
前記一方の半円筒型稼動ケース本体と前記他方の半円筒型稼動ケー
ス本体には、各々切削部を具備した複数のスティック本体が、円の中
心部に向かって所定角度で伸縮自在に形成されたことを特徴とする請
求項１に記載のシールテープ剥し。
(57)【要約】      （修正有）【課題】堅いパンからやわらかいパンまで切断時の圧力で潰すことなく、且つ薄く切ることができ、さらにパン屑の出にくいパン切りナイフを提供する。【解決手段】パンの表面へ食い込みの良い尖った波型形状の刃１ａを前部に、やわらかい部位を切るのに適し、パン屑の出にくい丸みの大きい波形状の刃２ａを中ほどから後部にと、形状の違う波刃が同一線上に2種類付いていることによって堅いパンからやわらかいパンまでパン切ナイフひとつで対応可能とし、さらに切れ味を向上させるため裏に小刃が付いていることでパンをまな板に対して垂直に切ることができるようになった。【選択図】図１
0003186310.tif 000002
【実用新案登録請求の範囲】
【請求項１】
形状の違う波刃が同一線上に2種類付いていることを特徴とするパン切りナイフ。
【請求項２】
前記の刃の裏に小刃が付いていることを特徴とするパン切りナイフ。
【考案の詳細な説明】
【技術分野】
【０００１】
本考案はパン切りナイフに関する。
【背景技術】
【０００２】
従来のパン切りナイフの刃は主として山谷のある波型刃形状である。この波型の刃形状は山谷の丸みの大きいものから尖ったものまで様々な波型がある。
【０００３】
しかしながら従来のパン切りナイフは、フランスパンなどの表面の固いものに有効な尖った波型刃形状であると、パン屑が多く出て切り口が滑らかではなくなり、パンの切断面がまな板に対して垂直にならない。
また、パン屑の出にくい山谷の丸みの大きい波型刃形状であると、表面の固いものに対して引っかかりが悪く刃の入り込みが悪いという欠点がある。
【先行技術文献】
【特許文献】
【０００４】
【特許文献１】特許公開2005‐74221
【非特許文献】
【０００５】
【非特許文献１】「詩季彩U-Fｌexカタログ2010」有限会社志津刃物製作所
【考案の概要】
【考案が解決しようとする課題】
【０００６】
本考案は、尖った波型刃形状のものは引っかかりが良いが、パン屑が出やすく、丸みの大きい波型刃形状のものは、パン屑は出ないが、堅い面への食い込みが悪いという従来の欠点に鑑み、パン屑が出にくく、パンの切り口がなめらかで、焼き立てのやわらかいパンでも切断時の圧力で潰すことなく薄く且つまな板に対して垂直に切ることができ、なおかつ表面が固いフランスパンなどでも入り込みの良い刃を一本のパン切りナイフで実現することを目的としている。
【課題を解決するための手段】
【０００７】
上記課題を解決するために、本考案は以下のような特徴を有する。
尖った波型形状の刃を前部に、丸みの大きい波形状の刃を中ほどから後部にと、形状の違う波刃が同一線上に2種類付いていることを特徴とするパン切りナイフである。
前記の刃の裏に小刃が付いていることを特徴とする。
【考案の効果】
【０００８】
1a部分でパンの表面の堅い部分に切り込みを入れ、そのまま刃身を2a部分に動かし、やわらかい部位を切ることでパンを1ｃｍ以下の厚みで切ることを可能とし、内側の柔らかい部位を潰さず切ることができ、切り屑も最小限におさえられた。
これにより、フランスパンや焼き立てのやわらかい食パンなど種類の違うパンを、このパン切りナイフひとつで対応でき、パンだけでなくトマト等やわらかい野菜も薄く潰さず切ることが可能となった。
さらに、1bのように裏に小刃をつけたことによって切れ味を向上させパンをまな板と垂直に切ることが可能となった。
【図面の簡単な説明】
【０００９】
【図１】本考案を実施するために設計されたパン切りの正面図である。
【図２】図1の裏面である。
【図３】図2の2b部分刃先拡大断面図である。
【図４】図１の1a刃部拡大図である。
【図５】図１の2a刃部拡大図である。
【考案を実施するための形態】
【００１０】
以下、本考案の実施の形態を図に基づいて説明する。
【実施例】
【００１１】
図1は本考案器具の実施例1、刃身全体図であって、刃の同一線上に２種類以上の異なる刃形状を付けたものであり、1aは鋭い波刃、2aはゆるやかな波刃である。
【００１２】
図2は図1の裏面であり刃の1bは1a,2aの裏側に小刃を付けパンが垂直に切れるようにしたものである。
【００１３】
図３は2b刃部断面図であり刃角度を示している。
【００１４】
図4は1aの拡大図であり、堅いパンの表面を切るために最適な形状の波刃である。
【００１５】
図5は2aの拡大図であり、やわらかいパンを潰さず、パン屑を出すことなく切れる形状の波刃である。
【産業上の利用可能性】
【００１６】
本考案はキッチンナイフを製造する産業で利用される。
【符号の説明】
【００１７】
1a刃部前部
2a刃部後部
1b裏面刃部
２b刃部断面図指定位置
【図１】
0003186310.tif 000003
【図２】
0003186310.tif 000004
【図３】
0003186310.tif 000005
【図４】
0003186310.tif 000006
【図５】
0003186310.tif 000007
【手続補正書】
【提出日】平成25年7月30日(2013.7.30)
【手続補正１】
【補正対象書類名】実用新案登録請求の範囲
【補正対象項目名】請求項２
【補正方法】変更
【補正の内容】
【請求項２】
形状の違う波刃の裏に小刃が付いていることを特徴とする１記載のパン切りナイフ。
(57)【要約】      （修正有）【課題】衣類を出し入れする際、見つけやすく綺麗にたたまれた衣類を乱さず美しく維持することができる収納ケースを提供する。【解決手段】収納ケース１の内側両側面それぞれに設けられたレール２と、このレールの間にわたり両端がレールの上面に位置してレール上を移動可能なハンガースティックとを有する。また、ハンガースティックの胴部に更に板状部材を設け、レールに掛け渡す移動可能な仕切りようボード８とする。【選択図】図４
0003186313.tif 000002
【実用新案登録請求の範囲】
【請求項１】
収納ケース（１）の内側両側面に設けられたレール（２）と、このレール（２）の間にわたり、両端が該レール（２）の上面に位置してレール（２）上を移動可能なハンガースティック（４）とを有する収納ケース。
【請求項２】
前記ハンガースティック（４）の胴部（５）に更に板状部材（１２）を設け前記レール（２）に掛け渡す移動可能な仕切り用ボードとを更に設けたことを特徴とする請求項１記載の収納ケース。
【考案の詳細な説明】
【技術分野】
【０００１】  本考案は、引き出しなど、収納ケースに関するものである。
【背景技術】
【０００２】  従来の収納ケースは、箱型のケースに衣類等をたたんで積み重ねて収納するものであった。また、綺麗に畳んだ衣類を一つ一つケースに入れ、更にそれを従来の収納ケースに収納する、縦型収納ケース（特許文献１）や、ケース内に棒を渡し、そこにハンガーに掛けた衣類を吊るすものがあった。（特許文献２）
【先行技術文献】
【特許文献】
【０００３】
【特許文献１】特開２０１２−１０６７８６号公報
【特許文献２】登録実用新案第３０００１９３号公報
【考案の概要】
【考案が解決しようとする課題】
【０００４】従来の収納ケースには、次のような欠点があった。
（イ）、衣類を収納するときは、綺麗に畳んだものを幾段かに重ね、それを一山として複数の山をケース内に並べて収納する為、中程に入っている衣類は、他の衣類に囲まれて隠れてしまい、一目で見つける事が出来なかった。
（ロ）、積み重ねられた衣類の山から下の方にある衣類を取り出すには、その上に重なっている衣類を全てどかさねばならず、手間が掛かる。或いは、他の衣類を掻き分け、目的の衣類のみを掴んで引っ張り出すという動作をしがちだが、その際、整頓されていたまわりの衣類が崩れて、乱れてしまうため、たたみ直す手間が掛かった。
（ハ）、薄手のものなどは、衣類自体に厚みがなく張りもないため、積み重なった衣類の中から見つけ出し難く、綺麗にたたんで仕舞ったとしても、他の衣類を出し入れしているうちに、形が崩れて皺になりやすかった。
（ニ）、トレーナーやＴシャツ、ニット類等伸縮性の衣類をハンガーに掛けると、服本体の重み全てが肩のみに集中し、垂れ下がった状態になるため、肩先の部分が伸びてその部分だけが、突起のように飛び出してしまうことがあった。
【課題を解決するための手段】
【０００５】  本考案は、ケース（１）の内側両側面に設けられたレール（２）とこのレールの間にわたり、両端が当該レール（２）の上面に位置してレール（２）上を移動可能なハンガースティック（４）とを有する収納ケース。及びハンガースティック（４）の胴部（５）に更に板状部材（１２）を設け、レール（２）に掛け渡す移動可能な仕切り用ボード（８）。
以上の構成よりなる収納ケースで上述したような衣類の収納に関する問題を解決している。
【考案の効果】
【０００６】  請求項１の考案によれば、衣類が全て同じ高さで一列に並ぶので、一目瞭然となる。また衣類は、たたんでスティックに掛けるだけなので、服の重みで肩先が伸びてしまうという心配もなくなるうえ、スティックに掛けるだけという単純作業だけで簡単に収納できる。故にケース内を美しく維持することができる。また、請求項２の考案によれば、この仕切りボードで衣類一つ一つが保護されているので薄手のものも型崩れしない。以上の結果、畳み直す手間や捜す手間を省くことができる。故に、目的の衣類を捜す手間が省けるうえ、衣類と衣類の間が仕切られているため、前後に収納されている衣類に関係なく、安易に目的のものを取り出すことができる。
【図面の簡単な説明】
【０００７】
【図１】本考案の収納ケースの斜視図
【図２】本考案のハンガースティックの斜視図
【図３】本考案の仕切りボードの斜視図
【図４】本考案の使用状態を示す斜視図
【図５】他の実施例のハンガースティックの斜視図
【図６】他の実施例の収納ケースの斜視図
【考案を実施するための形態】
【０００８】  以下、本考案の実施の形態を説明する。
（イ）収納ケース（１）の内側両側面にレール（２）を設ける。
（ロ）図２のハンガースティック（４）は胴部（５）、首部（６）、ランナー（７）から      なる。
（ハ）図３の仕切りボード（８）は、板状部材（１２）、首部（９）、ランナー（１０）      からなる。尚素材としては、例えばポリプロピレン等の熱可塑性樹脂などの加工し      易い素材が望ましいが、木製やスチール製等の素材でもよい。またそれらの組み合      わせでもよい。
本考案は、以上の構成である。
【実施例】
【０００９】  以下、添付図面に従って一実施例を説明する。本考案を使用する時は、図４に示すようにハンガースティック（４）の両先端にあるランナー（７）を、収納ケース内の両側面にある溝部（３）にはめ込むようにそれぞれ置き、ハンガースティック（４）を収納ケース内に掛け渡した状態にする。そこに、衣類（１１）をたたんで掛ける。次に仕切りボード（８）をハンガースティック（４）と同様溝部（３）に掛け渡す。この動作を繰り返すことで、衣類が綺麗に収納されるのだが、仕切りボード（８）を掛けた時点でこれを衣類側に押し付けると、収納ケース内に空間ができ、次の衣類が掛け易くなると共に沢山衣類が収納できる。【００１０】なお、ハンガースティック（４）としては図２の構造のものに限らず、図５のように棒状体の両端にレール（２）と結合する溝を設けるようにしてもよい。また、重い衣類を収納する場合、レール（２）がたわむ恐れがあるので、その為に、図６に示すように収納ケース自体の両側面に厚みをもたせその厚みの上部に溝部（３）を設ける等レール自体を補うものでもよい。
【符号の説明】１  収納ケース
２  レール
３  溝部
４  ハンガースティック
５  胴部
６  首部
７  ランナー
８  仕切りボード
９  首部
１０ランナー
１１衣類等
１２板状部材
１３他のハンガースティック
１４溝
【図１】
0003186313.tif 000003
【図２】
0003186313.tif 000004
【図３】
0003186313.tif 000005
【図４】
0003186313.tif 000006
【図５】
0003186313.tif 000007
【図６】
0003186313.tif 000008
(57)【要約】      （修正有）【課題】自家用発電機７に具備しているエンジン起動スターター作動用蓄電池に太陽電池パネル４と充放電制御装置５を接続することにより、蓄電池の自然放電により消耗した量を補填し、劣化の防止を図る自家用発電機を提供する。【解決手段】自家用発電機の駆動エンジン起動スターター用に具備された作動用蓄電池に太陽電池４および充放電制御装置５を接続することにより、自然放電を防止する。【選択図】図２
0003180699.tif 000002
【実用新案登録請求の範囲】
【請求項１】
自家用発電装置のエンジン部に具備されている起動スターターを作動させる為に設置している蓄電池の自然放電による劣化を防止するとともに、放電した量を補填するために新たに太陽電池パネルおよび充放電制御装置を設けたことを特徴とする自家用発電機。
【考案の詳細な説明】
【技術分野】
【０００１】  本考案は、発電機のエンジン起動スターターを作動するために具備されている蓄電池の自然放電による劣化防止および自然放電の補填を目的として、太陽電池パネルおよび充放電制御装置を具備することを特徴とした自家用発電装置に関するものである。
【背景技術】
【０００２】  従来、自家用発電機に具備される蓄電池の自然放電に対する対策は施されていないか、施されていても商用電源からの充電・補填であった。
【考案の概要】
【考案が解決しようとする課題】
【０００３】  エンジン起動スターター用蓄電池は長時間充電しないと自然放電してしまうため、緊急使用時に起動できないなどの問題があり、本考案は以上の問題を解決するものである。
【問題を解決するための手段】
【０００４】  本考案は、自家用発電機のエンジン起動スターター用に設けてある蓄電池の自然放電を太陽電池パネルと充放電制御装置を設置することにより、前述の問題を解決している。
【考案の効果】
【０００５】  本考案の太陽電池パネルと充放電制御装置を設置することにより、蓄電池の自然放電による容量不足の補償ができると伴に劣化を防止することができる。
【図面の簡単な説明】
【０００６】
【図１】  本考案の自家用発電装置の全体組立図
【図２】  本考案の自家用発電装置と太陽電池パネル組立図
【考案を実施するための形態】
【０００７】  自家用発電機のエンジン部に具備している起動スターター用蓄電池に充放電制御装置、太陽電池パネルを接続することにより、蓄電池の自然放電の補償し、劣化の防止ができる。
【実施例】
【０００８】  自家用発電機７の駆動エンジン１に具備しているエンジン起動スターター用蓄電池６に充放電制御装置５を接続し、充放電制御装置５に太陽電池パネル４を接続する。
【符号の説明】
【０００９】１  駆動エンジン
２  エンジン起動スターター
３  発電機
４  太陽電池パネル
５  充放電制御装置
６  エンジン駆動スターター用蓄電池
７  自家用発電機全体
【図１】
0003180699.tif 000003
【図２】
0003180699.tif 000004
【手続補正書】
【提出日】平成24年9月3日(2012.9.3)
【手続補正１】
【補正対象書類名】実用新案登録請求の範囲
【補正対象項目名】請求項１
【補正方法】変更
【補正の内容】
【請求項１】
自家用発電装置の発電機側面に設置された蓄電池に充放電制御装置を電線にて接続さらに充放電制御装置を太陽電池パネルに接続したことを特徴とする自家用発電機。
(57)【要約】      （修正有）【課題】表面がザラザラした滑り難い浴槽を確保し、且つ、安心・安全な入浴を可能にする滑り防止加工付介護用浴槽を提供する。【解決手段】浴槽１縁部１ａの外側上端全面部或いは一部と、浴槽の底面部１ｂの全面、或いは複数個所に、所定幅と所定長さ寸法を有するサンドブラスト等の滑り防止加工処理面２、３をそれぞれ形成する。又、前記滑り防止加工処理面は、人が触っても感触が良く、怪我をしない程度のものとし、又、滑り防止加工の施工箇所も経済状況や要望等に応じて特定箇所や全面加工を施す等、限定するものではない。さらに、滑り防止加工処理は、ショットブラストやローレット加工であっても良い。【選択図】図１
0003180949.tif 000002
【実用新案登録請求の範囲】
【請求項１】
介護用浴槽の縁部に介護者の自立支援を行う手摺り等を設けた浴槽において、該浴槽（１）縁部（１ａ）の外側上端全面部或いは一部と、浴槽の底面部（１ｂ）の全面、或いは複数個所に、所定幅と所定長さ寸法を有するサンドブラスト等の滑り防止加工処理面（２）（３）をそれぞれ形成した事を特徴とする滑り防止加工付介護用浴槽。
【考案の詳細な説明】
【技術分野】
【０００１】
この考案は、滑り防止加工付介護用浴槽に関するものである。
【背景技術】
【０００２】
従来、高齢者、或いは、身体に何らかの障害を持つことになった障害者は、従来のように一人浴槽が利用出来なくなる場合があり、その為、機械力による装置に頼って入浴する特別浴槽の利用を余儀なくされる事があった。
【０００３】
しかし、この特別浴槽を利用しなければ、入浴出来ないというのは利用者本人にとって、健康に対する自信を必要以上に失ったり、場合によっては屈辱感を感じたり、又、利用者本人のそれまでの生理的な生活習慣を大きく転換させる事であり、人間の尊厳を考えた時に、決して望ましいものではなかった。
【０００４】
そこで、上記問題を解決する為に、考案し出願したのが、実願２００５−００１０３７の介護用浴槽である。
【０００５】
ところが、高齢者や障害者等は特に、肉体的にも精神的にも不安定要素が多い為、浴槽内に出入りする際や、浴槽に浸かっている際において、更に滑り難い環境を確保する必要が出てきた。
【先行技術文献】
【特許文献】
【０００６】
これまでに出願されている介護用浴槽に関する特許文献を、参考の為紹介する（特許文献１〜４参照）。
【特許文献１】実願平８−００１００９
【特許文献２】実願平１０−００９８０８
【特許文献３】特願２００３−１９０７３１
【特許文献４】実願２００５−００１０３７
【考案の開示】
【考案が解決しようとする課題】
【０００７】
そこで、上記課題を解決する為に、この考案は利用者本人の残存能力を生かしつつ、表面がザラザラした滑り難い浴槽を確保し、且つ、安心・安全な入浴を可能にする滑り防止加工付介護用浴槽を早期に開発・提供する事にある。
【課題を解決するための手段】
【０００８】
この課題を解決するための手段として、介護用浴槽縁部の外側上端全面部或いは一部と、浴槽の底面部の全面、或いは複数個所に、所定幅と所定長さ寸法を有するサンドブラスト等の滑り防止加工処理面をそれぞれ形成したものである。
【考案の効果】
【０００９】
この考案の効果として、介護用浴槽縁部の外側上端全面部或いは一部と、浴槽の底面部の全面、或いは複数個所に、所定幅と所定長さ寸法を有するサンドブラスト等の滑り防止加工処理面をそれぞれ形成した事で、高齢者や障害者が本人の残存能力を生かしつつ、且つ、安心・安全な入浴を可能にする等、極めて有益なる効果を奏するものである。
【図面の簡単な説明】
【００１０】
【図１】この考案の一実施例を示し、滑り防止加工の施工要領を示す一部欠截斜視図である。
【図２】この考案の一実施例を示し、介護用浴槽に滑り防止加工をした時の状態を示す斜視図である。
【考案を実施するための形態】
【００１１】
この考案を実施するための形態として、介護用浴槽の縁部に介護者の自立支援を行う手摺り等を設けた浴槽において、該浴槽（１）縁部（１ａ）の外側上端全面部或いは一部と、浴槽の底面部（１ｂ）の全面、或いは複数個所に、所定幅と所定長さ寸法を有するサンドブラスト等の滑り防止加工処理面（２）（３）をそれぞれ形成した事を特徴とする滑り防止付介護用浴槽から構成される。
【実施例１】
【００１２】
そこで、この考案の一実施例を図１〜図２に基づいて詳述すると、まず図１に示すように滑り防止の施工方法として、浴槽（１）縁部（１ａ）の外側上端全面部或いは一部と、浴槽の底面部（１ｂ）の全面、或いは複数個所に、所定幅と所定長さ寸法を有するサンドブラスト等の滑り防止加工処理面（２）（３）をそれぞれ形成したものである。又、前記滑り防止加工処理面は、人が触っても感触が良く、怪我をしない程度のものとし、又、滑り防止加工の施工箇所も経済状況や要望等に応じて特定箇所や全面加工を施す等、限定するものではない。
【００１３】
又、上記滑り防止加工処理面は、サンドブラスト加工に限定するものではなく、浴槽の表面がザラザラして滑り難く、且つ、安全なものであれは構わない。例えば、ショットブラスト加工やローレット加工等の他の方法を使用しても構わない。
【００１４】
又、図２は浴槽（１）縁部（１ａ）の外側上端全面部或いは一部と、浴槽の底面部（１ｂ）の全面或いは複数個所に所定幅と所定長さ寸法を有するサンドブラスト等の滑り防止加工処理面をそれぞれ形成したものである。特に、図２のような周囲が壁や棚等で囲まれている場合は出入りする側の縁部に滑り防止加工を施すが、状況によっては全周部に障害物が無い場合は、全周縁部に滑り防止加工を施すこともある。
【００１５】
又、更に本考案は一応介護用の浴槽に限定しているが、状況や要求に応じて、一般の浴槽に適用しても効果的で有る為、介護用に限定するものではない。
【産業上の利用可能性】
【００１６】
本考案の滑り防止付介護用浴槽は、利用者本人の残存能力を生かしつつ、滑り難い浴槽を確保し、安心且つ安全な入浴を可能にする為、製造・販売する事で多くの介護施設及び介護者等に寄与する為、産業上の利用可能性を有する。
【符号の説明】
【００１７】
１  浴槽
１ａ  浴槽の縁部
１ｂ  浴槽の底面部
２  サンドブラスト等の滑り防止加工処理面（縁部）
３  サンドブラスト等の滑り防止加工処理面（底面部）
【図１】
0003180949.tif 000003
【図２】
0003180949.tif 000004
(57)【要約】      （修正有）【課題】車いすに浮力を与え、水没の危険を避け、かつ、浮力体を硬質ウレタンなど固く軽い素材に変えて、浮力を確保し、尚衝撃に強い救命胴衣として人体を守る事を可能にする浮上型車いすを提供する。【解決手段】ゴムチューブに硬質ウレタンを注入する事で堅く変形のない性質を利用したチューブ状浮力体を装着し津波や水害時の避難の際、水面から全体が浮く様にして、浮遊障害物から身体を守る事ができる浮上型車いすを形成する。また硬質ウレタンの独立気室構造体を使用することで時間が経過しても水が浸透することはない。発泡ポリエチレン素材は時間経過とともに水が浸透するので浮力が落ち、硬質ウレタンは水が浸透しないので同じ浮力を継続することが出来る。【選択図】図１
0003180990.tif 000002
【実用新案登録請求の範囲】
【請求項１】
ゴムチューブに硬質ウレタンを注入する事で堅く変形のない性質を利用したチューブ状浮力体を装着し津波や水害時の避難の際、水面から全体を浮かせ、浮遊障害物から身体を守る事ができる浮上型車いす。
【考案の詳細な説明】
【技術分野】
【０００１】
本考案は、身障者用車いすに固い硬質発泡ウレタン浮力材を注入したゴムチューブを装着する事で水に沈むことない車いすを完成させる技術である。
【背景技術】
【０００２】
従来の車いすは、金属やプラスチックが素材が主な素材で浮力に乏しく水没の危険があり
水難時でも車いすから離れられない身障者にとって危険な状態になりうる。
【０００３】
浮力が無い為に人命に関わる危険が発生する欠点があった。チューブが衝撃を吸収することで衝撃からも利用者を守る。
【先行技術文献】
【特許文献】
【０００４】
【特許文献１】実願２００８−１２０２
【考案の概要】
【考案が解決しようとする課題】
【０００５】
通常型車いすは多くの金属部品で構成されている為、水面での浮上は困難である。津波や水害時に車いす利用者が避難する際車いす自体が沈んでしまう事は危険である。
【課題を解決するための手段】
【０００６】
上記課題を解決する為に、ゴムチューブに硬質ウレタンを注入する事で堅く変形のない性質を利用したチューブ状浮力体を車椅子の外部にベルト等で装着固定し安定した浮力をもつ車いすにできる。水面から全体を浮かせ浮遊障害物から身体を守る事ができる浮上型車いすを構成する。
【考案の効果】
【０００７】
図２の硬質ウレタンで構成された車いす用チューブの形状は空気注入時と変わらぬ形状だが、硬度は著しく向上する。
【図面の簡単な説明】
【０００８】
【図１】浮力体付き車いすの正面図
【図２】浮力体付き車いすの左側面図
【図３】浮力体付き車いすの上面図
【考案を実施するための形態】
【０００９】
以下、本考察の実施の形態を図に基づいて説明する。
【００１０】
通常型の車いすに浮力体を装着した図１から図３であるが、浮力体のない状態
各図中央部の車いす自体は金属、プラスチックなどの比重の水より重い素材で作られているため水上では沈んでしまう。
硬質発泡ウレタンで構成されたチューブが浮力体として装着された図1から３の浮力体付き車いすは水面で浮上できる。
【産業上の利用可能性】
【００１１】
水に浮く車いすは非常災害時にも水上にて身障者を支え人体を守ることが出来、身体防衛道具として活躍できる。
【図１】
0003180990.tif 000003
【図２】
0003180990.tif 000004
【図３】
0003180990.tif 000005